(57)【要約】【課題】盤内における各種用品の実装効率を大幅に向上させると共に、組立・配線等の作業性を大幅に向上させることができる制御盤を提供する。【解決手段】盤内に、盤内用品取り付け用ユニットフレーム２と用品取り付け用パネルユニット３を設置し、パネルユニット３をボルト４によってユニットフレーム２の正面側及び背面側に連結固定する。一体化されたユニットフレーム２及びパネルユニット３の周囲に筐体フレームを設置し、制御盤の正面側に正面扉、背面側に背面扉、両側面に盤側面板、天井部分に天井板を取り付ける。【選択図】図１
2011101498.tif 000002
【特許請求の範囲】
【請求項１】
制御装置や電源装置が取り付けられる盤内用品取り付け用ユニットフレームが盤の中心部に配置されると共に、制御に必要な電気機器部品が取り付けられる用品取り付け用パネルユニットが、所定の締め付け部材によって、前記ユニットフレームの前後両側面に連結固定できるように構成されていることを特徴とする制御盤。
【請求項２】
前記用品取り付け用パネルユニットが、スイング機能を備えた部材を介して前記盤内用品取り付け用ユニットフレームと連結されていることを特徴とする請求項１に記載の制御盤。
【請求項３】
前記盤内用品取り付け用ユニットフレームと用品取り付け用パネルユニットの連結部分に、前記パネルユニットを盤の中心方向にスライドさせることができると共に、任意の位置に固定することができる機能を備えた部材が設置されていることを特徴とする請求項１又は請求項２に記載の制御盤。
【請求項４】
前記一体化された盤内用品取り付け用ユニットフレームと用品取り付け用パネルユニットの周囲に筐体フレームを設置する場合に、前記ユニットフレームが、所定の連結部材を介して、前記筐体フレームに固定できるように構成されていることを特徴とする請求項１乃至請求項３のいずれか１項に記載の制御盤。
【請求項５】
前記盤内用品取り付け用ユニットフレームと用品取り付け用パネルユニットの連結部分に、該パネルユニットを所望の位置にスライドさせることができるスライドレールを備えた部材が設置されていることを特徴とする請求項１乃至請求項４のいずれか１項に記載の制御盤。
【発明の詳細な説明】
【技術分野】
【０００１】
本発明は、複数の電気部品を筐体内に配置する制御盤に関するものである。
【背景技術】
【０００２】
発電プラント制御システムの制御装置や電子機器を収納する発電制御盤において、一般には、盤の扉は盤の正背面の片側もしくは両側にあり、制御装置や電源装置等のユニット機器は、盤内の中心部より正面扉側に寄った位置に実装され、電気回路を構成する端子モジュール等の各種電気用品は、前記ユニット機器の背面の空きスペースもしくは盤内側面に取り付けられている。
【０００３】
このような制御盤は、筐体フレーム、盤内用品取り付け用フレーム、用品取り付け用パネル及び金物から構成され、前記筐体フレームには、制御盤の側面化粧板、天井板、盤の扉及び盤内の構造用品が取り付けられ、また、前記盤内用品取り付け用フレームには、ユニット機器やケーブルトレイ等が取り付けられ、さらに、前記用品取り付け用パネルには、各種電気用品が取り付けられている。また、電気用品の取り付けには、用品取り付け用パネルを使用せずに、金物を用いる場合もある。
【先行技術文献】
【特許文献】
【０００４】
【特許文献１】特開２００９−３３８３９号公報
【特許文献２】特開平１１−１３６８１６号公報
【発明の概要】
【発明が解決しようとする課題】
【０００５】
前述した制御盤においては、ほとんどの場合が制御盤内に設置する盤内用品取り付け用フレームにユニット機器を取り付けているが、重量の重いユニット機器を実装する場合には、前記盤内用品取り付け用フレームにユニット機器を取り付けるのに加えて、ユニット機器を補助的に支えることを目的とした支持構造物の取り付けを必要とする。また、盤の正背面の両側に扉がある場合は、背面扉側の盤内の両側面に用品取り付け用パネルを設置して電気用品を取り付けている。
【０００６】
このように、ほとんどの電気用品は盤内側面に実装される用品取り付け用パネルに取り付けられるが、電気用品の種類によっては高さが高くなるものがあり、ユニット機器の奥行方向が長いと干渉して取り付けられない場合があった。また、用品取り付け用パネルは、盤内構造物やユニット機器に干渉しないパネル巾で設計・製作する必要があり、ユニット機器の奥行が長く、さらに盤の側面巾すなわち盤の奥行寸法が短い場合は、用品取り付け用パネルの巾を短くする必要があった。
【０００７】
また、上述したように、電気用品はユニット機器に干渉しない位置に取り付ける必要があるが、盤内構造物やユニット機器との干渉を回避するために、用品取り付け用パネルの巾を短くした結果、用品を取り付けるための十分な面積を確保できず、さらに電気用品の大きさや数量によって、用品取り付け用パネル内での電気用品の取り付け位置が制約されることになり、その結果、盤内に実装を必要とするすべての電気用品を取り付けることができず、隣接する盤に電気用品を取り付けざるを得ない場合があった。
【０００８】
さらに、発電所の既設ケーブルを流用する設計条件がある場合は、流用する既設ケーブルを新規に設ける制御盤内のユニット機器や電気用品に接続できるように、既設ケーブルが接続できる位置に、既設ケーブルの接続対象となるユニット機器や電気用品を実装する必要がある。この場合、用品取り付け位置の制約がさらに厳しくなり、用品の実装効率が一層悪くなるといった問題点があった。
【０００９】
一方、制御盤の組立配線作業には、ユニット機器や電気用品等の実装と、電気配線やケーブルの布設接続があり、作業性を向上させるために用品取り付け用パネルへの電気用品の取り付け作業を盤外で行ったとしても、その後の用品取り付け用パネルの取り付けや、ユニット機器の実装や、電気配線やケーブルの布設接続といった作業は盤内の作業になり、ユニット機器や電気用品が実装された盤内は作業スペースに制約があるため、組立配線の作業性が悪いという問題点があった。
【００１０】
このような問題点を解決すべく、従来から種々の提案がなされている。例えば、特許文献１には、筐体フレームを少なくとも２つに分割できるようにし、分割された筐体には少なくとも２つの側面を含むように構成し、組立後に一体化するように構成することによって、複数人で作業することができる制御盤が示されている。また、特許文献２には、盤中央部に前後方向を分断するように仕切部材を設け、盤の前後面に扉を設けることによって、前後に分かれて同時に作業が行える制御盤が示されている。しかしながら、これらの技術によっても、上記の課題を解決するに至っていない。
【００１１】
本発明は、上述したような従来技術の問題点を解決するためになされたものであって、その目的は、盤内における各種用品の実装効率を大幅に向上させると共に、組立・配線等の作業性を大幅に向上させることができる制御盤を提供することにある。
【課題を解決するための手段】
【００１２】
上記の課題を解決するため、本発明の制御盤は、制御装置や電源装置が取り付けられる盤内用品取り付け用ユニットフレームが盤の中心部に配置されると共に、制御に必要な電気機器部品が取り付けられる用品取り付け用パネルユニットが、所定の締め付け部材によって、前記ユニットフレームの前後両側面に連結固定できるように構成されていることを特徴とするものである。
【００１３】
上記のような構成を有する本発明の制御盤によれば、パネルユニットとユニットフレームを連結した状態で、制御装置や電源装置等のユニットフレームへの取り付け、電気機器部品のパネルユニットへの取り付け、及び各々の電気配線作業を盤外で行うことができるようになる。また、連結したパネルユニットとユニットフレームを盤外に設けた作業台に横に倒した状態で作業することが可能になり、複数作業者の同時作業が可能となることから、作業効率が大幅に向上し、作業時間の短縮が可能となる。さらに、盤の正背面の左右両側に電気機器部品を取り付けられるスペースができることから、用品の実装効率に優れた制御盤を提供することができる。
【発明の効果】
【００１４】
以上のような本発明によれば、盤内における各種用品の実装効率を大幅に向上させると共に、組立・配線等の作業性を大幅に向上させることができる制御盤を提供することができる。より具体的には、制御盤のユニットの実装位置を筐体の中心にして、用品取り付け用パネルをユニットの前後の盤内両側面に設置することとしたので、盤の正背面の左右両側に電気機器部品を取り付けられるスペースができることから、用品の実装効率に優れた制御盤を提供することができる。
【００１５】
また、盤の外で用品を実装する組立配線作業を行える上に、盤内両側面に設置する用品取り付け用パネル自体を回動させることができるので、組立・配線等の作業性を大幅に向上させることができる。さらに、既設流用品の制約がある場合でも、パネルの位置を左右の方向に容易に変更することができるので、既設流用の制約に対応しながら盤内の用品の実装効率を上げ、さらに組立・配線等の作業性を大幅に向上させることができる。
【図面の簡単な説明】
【００１６】
【図１】本発明に係る制御盤の実施例１の構成を示す斜視図である。
【図２】図１に示した実施例１の構成部材の分解斜視図である。
【図３】本発明に係る制御盤の全体像を示す斜視図である。
【図４】本発明に係る制御盤の実施例２の構成を示す斜視図である。
【図５】本発明に係る制御盤の実施例３の構成を示す斜視図である。
【図６】本発明に係る制御盤の実施例４の構成を示す斜視図である。
【図７】図６に示した実施例４の構成部材を筐体フレーム内に収納した状態を示す斜視図である。
【図８】本発明に係る制御盤の実施例５の構成を示す斜視図である。
【発明を実施するための形態】
【００１７】
以下、本発明に係る制御盤の実施例について、図面を参照して説明する。なお、本発明に係る制御盤はその盤内の構成に特徴がある。
【実施例１】
【００１８】
（１−１）実施例１の構成
本実施例の制御盤においては、図１に示すように、盤内に、盤内用品取り付け用ユニットフレーム（以下、ユニットフレームという）２と用品取り付け用パネルユニット（以下、パネルユニットという）３が設置され、図２に示すように、前記パネルユニット３がボルト４によって前記ユニットフレーム２の正面側及び背面側に連結されて構成されている。そして、図３に示すように、一体化されたユニットフレーム２及びパネルユニット３の周囲に筐体フレーム（図示せず）を設置し、制御盤の正面側に正面扉１００、背面側に背面扉１１０、両側面に盤側面板１２０、天井部分に天井板１３０を取り付けることにより、従来の制御盤と同じ外観を有する制御盤が構成されている。
【００１９】
なお、一体化されたユニットフレーム２及びパネルユニット３の周囲に筐体フレームを設置する方法としては、前記筐体フレームを予め組み立てた後、その内部に一体化されたユニットフレーム２及びパネルユニット３を設置しても良いし、ユニットフレーム２及びパネルユニット３を連結した後、その周囲に筐体フレームを設置しても良い。
【００２０】
（１−２）実施例１の作用・効果
従来の制御盤は、ユニットフレーム２とパネルユニット３が連結されることがなく、別々に盤内に設置されていた。また、パネルユニット３は、盤背面側の片側または両側にのみ設置されており、盤正面側には設置されていないことから、パネルに取り付け可能な用品スペースが限られていた。
【００２１】
また、従来の制御盤においては、ユニットフレーム２に制御装置や電源装置等の容積が大きな重量物が取り付けられ、それらと接続される電気機器部品はパネルユニット３に取り付けられていたため、用品の取り付けと配線作業は盤内で行うことになり、盤の寸法によっては盤内が狭くなることから、組み立て配線作業者が一人しか入ることができず、作業時間がかかっていた。
【００２２】
これに対して、上記のような構成を有する本実施例によれば、パネルユニット３とユニットフレーム２を連結した状態で、制御装置や電源装置等のユニットフレーム２への取り付け、電気機器部品のパネルユニット３への取り付け、及び各々の電気配線作業を盤外で行うことができるようになる。また、連結したパネルユニット３とユニットフレーム２を盤外に設けた作業台に横に倒した状態で作業することが可能になり、複数作業者の同時作業が可能となることから、作業効率が大幅に向上し、作業時間の短縮が可能となる。
【００２３】
さらに、従来は電気機器部品の取り付けスペースが少なく、必要な用品のすべてを同一盤内に設置できない場合があったが、盤の正背面の左右両側に電気機器部品を取り付けられるスペースができることから、用品の実装効率に優れた制御盤を提供することができる。
【実施例２】
【００２４】
（２−１）実施例２の構成
本実施例は上記実施例１の変形例であって、図４に示すように、パネルユニット３とユニットフレーム２との連結部分にヒンジ５が設置され、このヒンジ５によってパネルユニット３がユニットフレーム２と連結されると共に、開閉スイングすることができるように構成されている。また、上記実施例１と同様に、パネルユニット３はボルト４によってユニットフレーム２と連結固定することができるように構成されている。
【００２５】
（２−２）実施例２の作用・効果
上記のような構成を有する本実施例によれば、盤外に設けた作業台に横に倒した状態で作業する際に、作業環境や作業者の人数に応じて、作業がしやすいようにパネルユニット３を閉じた状態にも開いた状態にも適宜変更することが可能になるので、作業効率が大幅に向上する。
【実施例３】
【００２６】
（３−１）実施例３の構成
本実施例は上記実施例２の変形例であって、図５に示すように、パネルユニット３とユニットフレーム２との連結部分に、前記ユニットフレーム２のフレーム面に沿った形状を有するコ字形の用品パネル固定用部材２１が設置されている。そして、この用品パネル固定用部材２１の縦フレーム２１ａ上に、前記パネルユニット３を開閉可能に連結するヒンジ５が設置されている。また、前記用品パネル固定用部材２１の上部横フレーム２１ｂ及び下部横フレーム２１ｃには、所定の長さを有する長穴２１ｄが形成され、ボルト４によって、前記用品パネル固定用部材２１を前記ユニットフレーム２の盤中心方向の任意の位置に固定することができるように構成されている。
【００２７】
一方、前記パネルユニット３はヒンジ５によって用品パネル固定用部材２１と連結されると共に、開閉スイングすることができるように構成されている。また、上記実施例１、実施例２と同様に、前記パネルユニット３はボルト４によって用品パネル固定用部材２１を介してユニットフレーム２と連結固定することができるように構成されている。
【００２８】
（３−２）実施例３の作用・効果
従来の制御盤において、例えば制御盤のリプレース時に既設ケーブルを流用するという条件がある場合には、ケーブルを任意の長さに変更することができないことから、ケーブルを接続するコネクタや端子台を既設制御盤の配置に合わせることや、既設ケーブルの長さが短くなる位置に取り付ける必要があった。その一方で、既設制御盤のケーブル接続用のコネクタや端子台の取り付け位置を既設制御盤に合わせて新規制御盤の盤内設計をすると、新規制御盤に収納することが必要なすべての電気機器用品を取り付けられない場合があった。
【００２９】
これに対して、上記のような構成を有する本実施例によれば、盤内の電気機器用品の取り付けや電気配線は盤外で作業ができ、さらにケーブル接続用のコネクタや端子台が、既設制御盤の同用品取り付け位置から若干ケーブルが長くなる方向に設置された場合でも、前記用品パネル固定用部材２１を盤の中心方向の所定の位置にスライドさせて固定することにより、用品が取り付けられているパネル全体も盤の中心方向にスライドさせて固定することができる。このように、ケーブルが接続できる位置までコネクタと端子台を移動することができるので、既設ケーブルの制約条件に合わせた盤内設計が可能となる制御盤を提供することができる。
【実施例４】
【００３０】
（４−１）実施例４の構成
本実施例の制御盤においては、図６に示すように、図１〜図５に示したユニットフレーム２の側面部にガイド固定用部材６１が追加されると共に、ユニットフレーム２の上部に折り曲げ固定用部材３１が追加され、さらに、ユニットフレーム２の下部にベースパネル５３と折り曲げ固定用部材４１が追加されている。なお、前記折り曲げ固定用部材３１は、ボルト４によってユニットフレーム２に固定され、ベースパネル５３は、折り曲げ固定用部材４１を介してボルト４によってユニットフレーム２に固定されている。
【００３１】
また、前記ユニットフレーム２の上部及び下部にはＬ字形部材６２が設置され、その一辺に前記パネルユニット３を支持固定することができるように構成されている。このＬ字形部材６２は、その断面形状がＬ字形とされると共に、前記ユニットフレーム２の上部フレーム及び下部フレームとの対向面に所定の長さを有する長穴６３が形成されている。そして、この長穴６３により、Ｌ字形部材６２の他辺に取り付けられたパネルユニット３を盤中心方向の任意の位置で前記ユニットフレーム２に固定することができるように構成されている。
【００３２】
また、図７は、図６に示した制御盤の構成部品を筐体フレーム１内に収納した状態を示した図である。すなわち、ユニットフレーム２は、上部に取り付けられた折り曲げ固定用部材３１を介して筐体フレーム１のフレーム部材であるフレームパーツ１１とボルト４で固定され、また、ユニットフレーム２の下部に取り付けられたベースパネル５３は筐体フレーム１のベースパネル固定用フレームパーツ５２に固定されている。さらに、折り曲げ固定用部材５１がベースパネル５３に固定され、この折り曲げ固定用部材５１が筐体フレーム１のフレームパーツ１１とボルト４で固定されることにより、ユニットフレーム２が筐体フレーム１と連結固定されている。
【００３３】
このように本実施例においては、スイング機構やスライド機構を備えたパネルユニット３を連結したユニットフレーム２は、フレーム側面に取り付けられたガイド固定用部材６１を用いて搬送が可能となり、制御盤の枠組みに相当する筐体フレーム１の盤の正背面に相当する間口から、筐体フレーム１の内側に収納することができるように構成されている。なお、前記ガイド固定用部材６１は取り外し可能な構造とされ、ユニットフレーム２が筐体フレーム１に固定された後に取り外すことができるように構成されている。
【００３４】
（４−２）実施例４の作用・効果
従来の制御盤においては、制御盤を現地に設置する場合、現地の作業工程は、制御盤の到着を待ってから据え付けする工程を組むことになり、制御盤本体の土台となるチャンネルベースと呼ばれる部材の据付や制御盤の設置及び隣接盤との連結作業は、各制御盤の到着に合わせなければならなかった。このため、現地作業工程は長期間におよぶことになっていた。
【００３５】
これに対して、上記のような構成を有する本実施例によれば、盤内のフレームと一体となった盤内の実装用品と構造物を、後から筐体内部に収納して固定することができるため、筐体のみを現地に先送りする必要が発生した場合でも、筐体フレームのみを現地に先送りして据え付けし、構造物と実装用品が一体となった制御盤そのものを後送りして取り付けすることができることから、現地作業工程の短縮が可能となる制御盤を提供することができる。
【実施例５】
【００３６】
（５−１）実施例５の構成
本実施例は上記実施例３の変形例であって、図８に示すように、前記用品パネル固定用部材２１に可動式フレーム７１が取り付けられ、この可動式フレーム７１にレール７２が形成され、このレール７２にパネルユニット３が固定されている。
【００３７】
（５−２）実施例５の作用・効果
従来の制御盤においては、制御盤内のメンテナンスや現地改造作業を行う場合には、作業者が盤内にて作業を行うが、現地の制御盤内部はケーブルが接続されていることから非常に狭く、一人の作業者が盤内に入り込んで作業できないことがあった。
【００３８】
これに対して、上記のような構成を有する本実施例によれば、たとえユニットフレーム２が筐体フレーム１に連結固定されている場合であっても、レール７２に取り付けられているパネルユニット３を、盤内の構造物から取り外すことなく、レール７２上をスライドさせて盤の外まで取り出すことができる。このように本実施例によれば、盤外でパネルユニット３のメンテナンススペースを確保することができるので、現地でのメンテナンスや改造作業の効率が大幅に向上する制御盤を提供することができる。
【符号の説明】
【００３９】
１…筐体フレーム
２…盤内用品取り付け用ユニットフレーム
３…用品取り付け用パネルユニット
４…ボルト
５…ヒンジ
１１…フレームパーツ
２１…用品パネル固定用部材
２１ａ…縦フレーム
２１ｂ…上部横フレーム
２１ｃ…下部横フレーム
２１ｄ…長穴
３１…折り曲げ固定用部材
４１…折り曲げ固定用部材
５１…折り曲げ固定用部材
５２…ベースパネル固定用フレームパーツ
５３…ベースパネル
６１…ガイド固定用部材
６２…Ｌ字形部材
６３…長穴
７１…可動式フレーム
７２…レール
１００…正面扉
１１０…背面扉
１２０…盤側面板
１３０…天井板
【図１】
2011101498.tif 000003
【図２】
2011101498.tif 000004
【図３】
2011101498.tif 000005
【図４】
2011101498.tif 000006
【図５】
2011101498.tif 000007
【図６】
2011101498.tif 000008
【図７】
2011101498.tif 000009
【図８】
2011101498.tif 000010